【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
流体サンプル中のチオール化合物の濃度を測定するための１回用使い捨て物品であって、該物品は：
（ａ）ポリアミド材料を含む少なくとも１つの吸収材料を備えるマトリックスであって、該マトリックスは、該サンプルを吸収することができる、マトリックス；および
（ｂ）ある量の検出試薬であって、該検出試薬は、１０ｍｇ／Ｌから１５０ｍｇ／Ｌの５，５’−ジチオビス−（２−ニトロ安息香酸）（ＤＴＮＢ）、６．５から８．５のｐＨの緩衝液、グリセロール、キシリトール、ソルビトール、グリセロールまたはプロピレングリコールを含む湿潤剤、および必要に応じて、マンガン、マグネシウムまたはコバルトを含む金属から本質的になり、該量の検出試薬は、該量の検出試薬の少なくとも一部が、該サンプルの少なくとも一部と接触した後のある期間の間に、該サンプル中のチオール化合物の濃度を示唆するシグナルを提供することができる、検出試薬
を備える、物品。
【請求項２】
前記物品が、試験片である、請求項１に記載の物品。
【請求項３】
前記検出試薬が：Ｎ，Ｎ’−ビス（４−ニトロベンジリデン）−４，４’−ジチオジアニリン；Ｎ，Ｎ’−ビス（３−ニトロベンジリデン）−４，４’−ジチオジアニリン；Ｎ，Ｎ’−ビス（２−ニトロベンジリデン）−４，４’−ジチオジアニリン；Ｎ，Ｎ’−ビス（２，４−ジニトロベンジリデン）−４，４’−ジチオジアニリン；Ｎ，Ｎ’−ビス（４−ニトロシンナマルイリデン）−４，４’−ジチオジアニリンのうちの少なくとも１つをさらに含む、請求項１または２のいずれか１項に記載の物品。
【請求項４】
前記シグナルが、電磁シグナルを含む、請求項１から３のいずれか１項に記載の物品。
【請求項５】
前記電磁シグナルが、可視シグナルを含む、請求項４に記載の物品。
【請求項６】
前記可視シグナルと比較するための少なくとも１つの色見本を含むコンパレーター領域をさらに備える、請求項５に記載の物品。
【請求項７】
前記緩衝液が、約５ｍＭから２００ｍＭの濃度のイミダゾールまたはリン酸ナトリウム緩衝液である、請求項１から６のいずれか１項に記載の物品。
【請求項８】
前記ＤＴＮＢが、約８０ｍｇ／Ｌから１２０ｍｇ／Ｌの濃度で存在する、請求項１から７のいずれか１項に記載の物品。
【請求項９】
前記ＤＴＮＢが、約１００ｍｇ／Ｌの濃度で存在する、請求項１から８のいずれか１項に記載の物品。
【請求項１０】
前記湿潤剤が、約０．１体積％から５．０体積％の濃度のグリセロールである、請求項１から９のいずれか１項に記載の物品。
【請求項１１】
前記湿潤剤が、約２重量％から１０重量％の濃度のキシリトールである、請求項１から９のいずれか１項に記載の物品。
【請求項１２】
香味料または芳香をさらに含む、請求項１から１１のいずれか１項に記載の物品。
【請求項１３】
前記金属が、０．１ｍＭの塩化マンガンを含む、請求項１から１２のいずれか１項に記載の物品。
【請求項１４】
哺乳動物被験体が特定の疾病に罹患しているリスクを判定することを補助するための方法であって、該方法は：
（ａ）請求項１から１３のいずれか１項に記載の１回用使い捨て物品を提供する工程；
（ｂ）前記マトリックスを、該被験体由来の１つ以上の生理学的流体を含むサンプルと接触させる工程；
（ｃ）前記量の検出試薬によって提供されるシグナルを観察する工程；
（ｄ）該量の検出試薬によって提供されるシグナルを１つ以上の参照値と比較する工程であって、該参照値の各々は、被験体が該特定の疾病に罹患しているリスクを示唆する、工程
を包含する、方法。
【請求項１５】
前記サンプルが、唾液および／または歯肉溝滲出液および／または歯肉線バイオフィルムおよび／または舌バイオフィルムおよび／または舌擦過物および／または息を含む、請求項１４に記載の方法。
【請求項１６】
前記特定の疾病が、歯根膜炎、歯肉炎、口臭、循環器疾患、ＩＩ型糖尿病、または早産である、請求項１４または１５に記載の方法。
【手続補正２】
【補正対象書類名】明細書
【補正対象項目名】０００９
【補正方法】変更
【補正の内容】
【０００９】
本発明は、例えば、以下を提供する：
（項目１）
流体サンプル中のチオール化合物の濃度を測定するための１回用使い捨て物品であって、該物品は：
（ａ）少なくとも１つの吸収材料を備えるマトリックスであって、該マトリックスは、該サンプルを吸収することができる、マトリックス；および
（ｂ）ある量の検出試薬であって、該量の検出試薬は、該量の検出試薬の少なくとも一部が、該サンプルの少なくとも一部と接触した後のある期間の間に、該サンプル中のチオール化合物の濃度を示唆するシグナルを提供することができる、検出試薬
を備える、物品。
（項目２）
前記物品が、試験片である、項目１に記載の物品。
（項目３）
前記流体サンプルが、生理学的流体のサンプルである、項目１または項目２に記載の物品。
（項目４）
前記生理学的流体が、口腔液である、項目３に記載の物品。
（項目５）
前記口腔液が、唾液および／または歯肉溝滲出液および／または歯肉線バイオフィルムおよび／または舌バイオフィルムおよび／または舌擦過物および／または息を含む、項目４に記載の物品。
（項目６）
前記少なくとも１つの吸収材料が、ポリアミド材料を含む、項目１から５のいずれか１項に記載の物品。
（項目７）
前記検出試薬が：５，５’−ジチオビス−（２−ニトロ安息香酸）；５−（２−アミノエチル）−ジチオ−２−ニトロ安息香酸；Ｎ，Ｎ’−ビス（４−ニトロベンジリデン）−４，４’−ジチオジアニリン；Ｎ，Ｎ’−ビス（３−ニトロベンジリデン）−４，４’−ジチオジアニリン；Ｎ，Ｎ’−ビス（２−ニトロベンジリデン）−４，４’−ジチオジアニリン；Ｎ，Ｎ’−ビス（２，４−ジニトロベンジリデン）−４，４’−ジチオジアニリン；Ｎ，Ｎ’−ビス（４−ニトロシンナマルイリデン）−４，４’−ジチオジアニリンのうちの少なくとも１つを含む、項目１から６のいずれか１項に記載の物品。
（項目８）
前記検出試薬が、５，５’−ジチオビス−（２−ニトロ安息香酸）である、項目７に記載の物品。
（項目９）
前記期間が、前記ある量の検出試薬の少なくとも一部が前記サンプルの少なくとも一部と接触した約１秒後に始まり、該量の検出試薬の少なくとも一部が該サンプルの少なくとも一部と接触した約１０分後に終了する、項目１から８のいずれか１項に記載の物品。
（項目１０）
前記期間が、前記ある量の検出試薬の少なくとも一部が前記サンプルの少なくとも一部と接触した約５秒後に始まり、該量の検出試薬の少なくとも一部が該サンプルの少なくとも一部と接触した約５分後に終了する、項目１から８のいずれか１項に記載の物品。
（項目１１）
前記シグナルが、電磁シグナルを含む、項目１から１０のいずれか１項に記載の物品。
（項目１２）
前記電磁シグナルが、可視シグナルを含む、項目１１に記載の物品。
（項目１３）
前記可視シグナルと比較するための少なくとも１つの色見本を含むコンパレーター領域をさらに備える、項目１２に記載の物品。
（項目１４）
流体サンプル中のチオール化合物の濃度を測定するための方法であって、該方法は：
（ａ）（ｉ）少なくとも１つの吸収材料を備えるマトリックスであって、該マトリックスは、該サンプルを吸収することができるマトリックス、および（ｉｉ）ある量の検出試薬であって、該量の検出試薬は、該量の検出試薬の少なくとも一部が、該サンプルの少なくとも一部と接触した後のある期間の間に、該サンプル中のチオール化合物の濃度を示唆するシグナルを提供することができる検出試薬、を備える１回用使い捨て物品を提供する工程；
（ｂ）該マトリックスを該サンプルと接触させる工程；
（ｃ）該量の検出試薬によって提供されるシグナルを観察する工程；
（ｄ）該量の検出試薬によって提供されるシグナルを１つ以上の参照値と比較する工程であって、該参照値の各々は、チオール化合物の濃度を示唆する、工程
を包含し、それにより該サンプル中のチオール化合物の濃度を測定する、方法。
（項目１５）
前記流体が、生理学的流体である、項目１４に記載の方法。
（項目１６）
前記生理学的流体が、口腔液である、項目１５に記載の方法。
（項目１７）
前記口腔液が、唾液および／または歯肉溝滲出液および／または歯肉線バイオフィルムおよび／または舌バイオフィルムおよび／または舌擦過物および／または息を含む、項目１６に記載の方法。
（項目１８）
前記物品が、試験片である、項目１４から１７のいずれか１項に記載の方法。
（項目１９）
前記少なくとも１つの吸収材料が、ポリアミド材料を含む、項目１４から１８のいずれか１項に記載の方法。
（項目２０）
前記検出試薬が：５，５’−ジチオビス−（２−ニトロ安息香酸）；５−（２−アミノエチル）−ジチオ−２−ニトロ安息香酸；Ｎ，Ｎ’−ビス（４−ニトロベンジリデン）−４，４’−ジチオジアニリン；Ｎ，Ｎ’−ビス（３−ニトロベンジリデン）−４，４’−ジチオジアニリン；Ｎ，Ｎ’−ビス（２−ニトロベンジリデン）−４，４’−ジチオジアニリン；Ｎ，Ｎ’−ビス（２，４−ジニトロベンジリデン）−４，４’−ジチオジアニリン；Ｎ，Ｎ’−ビス（４−ニトロシンナマルイリデン）−４，４’−ジチオジアニリンのうちの少なくとも１つを含む、項目１４から１９のいずれか１項に記載の方法。
（項目２１）
前記検出試薬が、５，５’−ジチオビス−（２−ニトロ安息香酸）である、項目２０に記載の方法。
（項目２２）
前記期間が、前記ある量の検出試薬の少なくとも一部が前記サンプルの少なくとも一部と接触した約１秒後に始まり、該量の検出試薬の少なくとも一部が該サンプルの少なくとも一部と接触した約１０分後に終了する、項目１４から２１のいずれか１項に記載の方法。
（項目２３）
前記期間が、前記ある量の検出試薬の少なくとも一部が前記サンプルの少なくとも一部と接触した約５秒後に始まり、該量の検出試薬の少なくとも一部が該サンプルの少なくとも一部と接触した約５分後に終了する、項目１４から２１のいずれか１項に記載の方法。
（項目２４）
前記シグナルが、電磁シグナルを含む、項目１４から２３のいずれか１項に記載の方法。
（項目２５）
前記電磁シグナルが、可視シグナルを含む、項目２４に記載の方法。
（項目２６）
前記１つ以上の参照値の各々が、（ａ）色見本と（ｂ）チオール化合物の濃度との対になった組み合わせとして提供される、項目１４から２５のいずれか１項に記載の方法。
（項目２７）
前記観察工程および／または比較工程のうちの少なくとも１つが、自動読み取り装置によって行われる、項目１４から２６のいずれか１項に記載の方法。
（項目２８）
哺乳動物被験体が特定の疾病に罹患しているリスクを判定するための方法であって、該方法は：
（ａ）（ｉ）少なくとも１つの吸収材料を備えるマトリックスであって、該マトリックスは、該サンプルを吸収することができるマトリックス、および（ｉｉ）ある量の検出試薬であって、該量の検出試薬は、該量の検出試薬の少なくとも一部が、該サンプルの少なくとも一部と接触した後のある期間の間に、該サンプル中のチオール化合物の濃度を示唆するシグナルを提供することができる検出試薬、を備える１回用使い捨て物品を提供する工程；
（ｂ）該マトリックスを、該被験体由来の１つ以上の生理学的流体を含むサンプルと接触させる工程；
（ｃ）該量の検出試薬によって提供されるシグナルを観察する工程；
（ｄ）該量の検出試薬によって提供されるシグナルを１つ以上の参照値と比較する工程であって、該参照値の各々は、被験体が該特定の疾病に罹患しているリスクを示唆する、工程
を包含し、それにより該被験体が該特定の疾病に罹患しているリスクを判定する、方法。
（項目２９）
前記流体が、生理学的流体である、項目２８に記載の方法。
（項目３０）
前記生理学的流体が、口腔液である、項目２９に記載の方法。
（項目３１）
前記口腔液が、唾液および／または歯肉溝滲出液および／または歯肉線バイオフィルムおよび／または舌バイオフィルムおよび／または舌擦過物および／または息を含む、項目３０に記載の方法。
（項目３２）
前記物品が、試験片である、項目２８から３１のいずれか１項に記載の方法。
（項目３３）
前記少なくとも１つの吸収材料が、ポリアミド材料を含む、項目２８から３２のいずれか１項に記載の方法。
（項目３４）
前記検出試薬が：５，５’−ジチオビス−（２−ニトロ安息香酸）；５−（２−アミノエチル）−ジチオ−２−ニトロ安息香酸；Ｎ，Ｎ’−ビス（４−ニトロベンジリデン）−４，４’−ジチオジアニリン；Ｎ，Ｎ’−ビス（３−ニトロベンジリデン）−４，４’−ジチオジアニリン；Ｎ，Ｎ’−ビス（２−ニトロベンジリデン）−４，４’−ジチオジアニリン；Ｎ，Ｎ’−ビス（２，４−ジニトロベンジリデン）−４，４’−ジチオジアニリン；Ｎ，Ｎ’−ビス（４−ニトロシンナマルイリデン）−４，４’−ジチオジアニリンのうちの少なくとも１つを含む、項目２８から３３のいずれか１項に記載の方法。
（項目３５）
前記検出試薬が、５，５’−ジチオビス−（２−ニトロ安息香酸）である、項目３４に記載の方法。
（項目３６）
前記期間が、前記ある量の検出試薬の少なくとも一部が前記サンプルの少なくとも一部と接触した約１秒後に始まり、該量の検出試薬の少なくとも一部が該サンプルの少なくとも一部と接触した約１０分後に終了する、項目２８から３５のいずれか１項に記載の方法。
（項目３７）
前記期間が、前記ある量の検出試薬の少なくとも一部が前記サンプルの少なくとも一部と接触した約５秒後に始まり、該量の検出試薬の少なくとも一部が該サンプルの少なくとも一部と接触した約５分後に終了する、項目２８から３５のいずれか１項に記載の方法。
（項目３８）
前記シグナルが、電磁シグナルを含む、項目２８から３７のいずれか１項に記載の方法。
（項目３９）
前記電磁シグナルが、可視シグナルを含む、項目３８に記載の方法。
（項目４０）
前記１つ以上の参照値の各々が、（ａ）色見本と（ｂ）被験体が前記特定の疾病に罹患しているリスクとの対になった組み合わせとして提供される、項目２８から３９のいずれか１項に記載の方法。
（項目４１）
前記観察工程および／または比較工程のうちの少なくとも１つが、自動読み取り装置によって行われる、項目２８から４０のいずれか１項に記載の方法。
（項目４２）
前記特定の疾病が、歯根膜炎である、項目２８から４１のいずれか１項に記載の方法。
（項目４３）
前記特定の疾病が、歯肉炎である、項目２８から４１のいずれか１項に記載の方法。
（項目４４）
前記特定の疾病が、口臭である、項目２８から４１のいずれか１項に記載の方法。
（項目４５）
前記特定の疾病が、循環器疾患である、項目２８から４１のいずれか１項に記載の方法。
（項目４６）
前記特定の疾病が、ＩＩ型糖尿病である、項目２８から４１のいずれか１項に記載の方法。
（項目４７）
前記特定の疾病が、早産である、項目２８から４１のいずれか１項に記載の方法。
（項目４８）
（ａ）流体サンプル中のチオール化合物の濃度を測定するための少なくとも１つの１回用使い捨て物品であって、該物品は：
（ｉ）少なくとも１つの吸収材料を備える第１マトリックスであって、該マトリックスは、該サンプルを吸収することができる、第１マトリックス；および
（ｉｉ）ある量の検出試薬であって、該量の検出試薬は、該量の検出試薬の少なくとも一部が、該サンプルの少なくとも一部と接触した後のある期間の間に、該サンプル中のチオール化合物の濃度を示唆する可視シグナルを提供することができる、検出試薬、
を備える１回用使い捨て物品；
（ｂ）以下：
（ｉ）該可視シグナルと比較するための少なくとも１つの色見本；および
（ｉｉ）各色見本に関して、該色見本と対応づけられるチオール化合物の相対的濃度を示す英数字の識別子
が印刷されたおよび／または添付された、コンパレーター；
（ｃ）必要に応じて、該物品および該コンパレーターを入れるのに適した包装；
（ｄ）必要に応じて、該物品および該コンパレーターを使用するための指示書
を備える、キット。
（項目４９）
哺乳動物被験体由来の流体サンプル中のチオール化合物の濃度を測定するための１回用使い捨て試験片であって、該試験片は：
（ａ）少なくとも１つの吸収材料を備えるマトリックスであって、該マトリックスは、該サンプルを吸収することができる、マトリックス；および
（ｂ）ある量の検出試薬であって、該量の検出試薬は、該量の検出試薬の少なくとも一部が、該サンプルの少なくとも一部と接触した後のある期間の間に、該サンプル中のチオール化合物の濃度を示唆するシグナルを提供することができる、検出試薬
を備える、試験片。
（項目５０）
前記流体が、唾液および／または歯肉溝滲出液および／または歯肉線バイオフィルムおよび／または舌バイオフィルムおよび／または舌擦過物および／または息を含む、項目４９に記載の試験片。
（項目５１）
前記検出試薬が：５，５’−ジチオビス−（２−ニトロ安息香酸）；５−（２−アミノエチル）−ジチオ−２−ニトロ安息香酸；Ｎ，Ｎ’−ビス（４−ニトロベンジリデン）−４，４’−ジチオジアニリン；Ｎ，Ｎ’−ビス（３−ニトロベンジリデン）−４，４’−ジチオジアニリン；Ｎ，Ｎ’−ビス（２−ニトロベンジリデン）−４，４’−ジチオジアニリン；Ｎ，Ｎ’−ビス（２，４−ジニトロベンジリデン）−４，４’−ジチオジアニリン；Ｎ，Ｎ’−ビス（４−ニトロシンナマルイリデン）−４，４’−ジチオジアニリンのうちの少なくとも１つを含む、項目４９または５０に記載の試験片。
（項目５２）
前記検出試薬が、５，５’−ジチオビス−（２−ニトロ安息香酸）である、項目５１に記載の試験片。
（項目５３）
前記期間が、前記ある量の検出試薬の少なくとも一部が前記サンプルの少なくとも一部と接触した約１秒後に始まり、該量の検出試薬の少なくとも一部が該サンプルの少なくとも一部と接触した約１０分後に終了する、項目４９から５２のいずれか１項に記載の試験片。
（項目５４）
前記期間が、前記ある量の検出試薬の少なくとも一部が前記サンプルの少なくとも一部と接触した約５秒後に始まり、該量の検出試薬の少なくとも一部が該サンプルの少なくとも一部と接触した約５分後に終了する、項目４９から５２のいずれか１項に記載の試験片。
（項目５５）
前記シグナルが、電磁シグナルを含む、項目４９から５４のいずれか１項に記載の試験片。
（項目５６）
前記電磁シグナルが、可視シグナルを含む、項目５５に記載の試験片。
（項目５７）
哺乳動物被験体が特定の疾病に罹患しているリスクを判定するための１回用使い捨て試験片であって、該試験片は：
（ａ）少なくとも１つの吸収材料を備えるマトリックスであって、該マトリックスは、該サンプルを吸収することができるマトリックス；および
（ｂ）ある量の検出試薬であって、該量の検出試薬は、該量の検出試薬の少なくとも一部が該サンプルの少なくとも一部と接触した後のある期間の間に、該被験体が該特定の疾病に罹患しているリスクを示唆するシグナルを提供することができ、ここで
（ｉ）該検出試薬は：５，５’−ジチオビス−（２−ニトロ安息香酸）；５−（２−アミノエチル）−ジチオ−２−ニトロ安息香酸；Ｎ，Ｎ’−ビス（４−ニトロベンジリデン）−４，４’−ジチオジアニリン；Ｎ，Ｎ’−ビス（３−ニトロベンジリデン）−４，４’−ジチオジアニリン；Ｎ，Ｎ’−ビス（２−ニトロベンジリデン）−４，４’−ジチオジアニリン；Ｎ，Ｎ’−ビス（２，４−ジニトロベンジリデン）−４，４’−ジチオジアニリン；Ｎ，Ｎ’−ビス（４−ニトロシンナマルイリデン）−４，４’−ジチオジアニリンのうちの少なくとも１つを含み；そして
（ｉｉ）該特定の疾病は：歯根膜炎、歯肉炎、口臭、循環器疾患、ＩＩ型糖尿病、早産のうちの少なくとも１つである、
検出試薬
を備える、１回用使い捨て試験片。
（項目５８）
前記検出試薬が、５，５’−ジチオビス−（２−ニトロ安息香酸）を含む、項目５７に記載の試験片。
（項目５９）
前記特定の疾病が、歯根膜炎である、項目５７または５８に記載の試験片。
（項目６０）
前記特定の疾病が、歯肉炎である、項目５７または５８に記載の試験片。
（項目６１）
前記特定の疾病が、口臭である、項目５７または５８に記載の試験片。
（項目６２）
前記特定の疾病が、循環器疾患である、項目５７または５８に記載の試験片。
（項目６３）
前記特定の疾病が、ＩＩ型糖尿病である、項目５７または５８に記載の試験片。
（項目６４）
前記特定の疾病が、早産である、項目５７または５８に記載の試験片。
（項目６５）
緩衝液、５，５’−ジチオビス（２−ニトロ安息香酸）（ＤＴＮＢ）および湿潤剤を含む、試薬液。
（項目６６）
前記緩衝液が、約５ｍＭから２００ｍＭの濃度のリン酸ナトリウム緩衝液である、項目６５に記載の試薬液。
（項目６７）
前記緩衝液が、約２０ｍＭから１５０ｍＭの濃度のリン酸ナトリウム緩衝液である、項目６５に記載の試薬液。
（項目６８）
前記緩衝液が、約１００ｍＭの濃度のリン酸ナトリウム緩衝液である、項目６５に記載の試薬液。
（項目６９）
前記緩衝液が、約６．５から８．５のｐＨである、項目６５から６８のいずれか１項に記載の試薬液。
（項目７０）
前記緩衝液が、約６．５から７．５のｐＨである、項目６５から６８のいずれか１項に記載の試薬液。
（項目７１）
前記緩衝液が、約７．０のｐＨである、項目６５から６８のいずれか１項に記載の試薬液。
（項目７２）
前記ＤＴＮＢが、約１０ｍｇ／Ｌから１５０ｍｇ／Ｌの濃度で存在する、項目６５から７１のいずれか１項に記載の試薬液。
（項目７３）
前記ＤＴＮＢが、約８０ｍｇ／Ｌから１２０ｍｇ／Ｌの濃度で存在する、項目６５から７１のいずれか１項に記載の試薬液。
（項目７４）
前記ＤＴＮＢが、約１００ｍｇ／Ｌの濃度で存在する、項目６５から７１のいずれか１項に記載の試薬液。
（項目７５）
前記湿潤剤が、グリセロール、キシリトール、ソルビトール、グリセロールまたはプロピレングリコールを含む、項目６５から７４のいずれか１項に記載の試薬液。
（項目７６）
前記湿潤剤が、グリセロールを含む、項目７５に記載の試薬液。
（項目７７）
前記グリセロールが、約０．１体積％から５．０体積％の濃度で存在する、項目７６に記載の試薬液。
（項目７８）
前記グリセロールが、約０．５体積％の濃度で存在する、項目７６に記載の試薬液。
（項目７９）
前記湿潤剤が、キシリトールを含む、項目７５に記載の試薬液。
（項目８０）
前記キシリトールが、約２重量％から１０重量％の濃度で存在する、項目７９に記載の試薬液。
（項目８１）
前記キシリトールが、約４重量％の濃度で存在する、項目７９に記載の試薬液。
（項目８２）
香味料または芳香をさらに含む、項目６５から８１のいずれか１項に記載の試薬液。
（項目８３）
前記香味料または芳香が、ペパーミントである、項目８２に記載の試薬液。
（項目８４）
アルコールをさらに含む、項目６５から８３のいずれか１項に記載の試薬液。
（項目８５）
前記アルコールが、イソプロパノールまたはエタノールである、項目８４に記載の試薬液。
（項目８６）
アルカリ土類金属または遷移金属をさらに含む、項目６５から８５のいずれか１項に記載の試薬液。
（項目８７）
前記金属が、マンガン、マグネシウムまたはコバルトを含む、項目８６に記載の試薬液。
（項目８８）
検出領域を含む固体基材を備える検出デバイスであって、該検出領域は、項目６５〜８７のいずれかに記載の試薬液に含浸されている、検出デバイス。
（項目８９）
前記試薬液を前記固体基材上で乾燥させた、項目８８に記載の検出デバイス。
（項目９０）
前記固体基材が、不活性繊維のパッドである、項目８８または８９に記載の検出デバイス。
（項目９１）
前記繊維が、米国特許第７，２９０，６６８号に記載されている少なくとも１つの材料を含む、項目９０に記載の検出デバイス。
（項目９２）
前記繊維が、Ｒ−２７３７８またはＲ２８４４５Ｄ＃４３４５と呼ばれているＴＲＡＮＳＯＲＢ（登録商標）ブランド材料を含む、項目９０に記載の検出デバイス。
（項目９３）
前記固体基材が、長方形であるか、または代表的には最大約８ｍｍ×８ｍｍかつ約１．０ｍｍの厚さの打抜き形から構成される、項目８８から９２のいずれか１項に記載の検出デバイス。
（項目９４）
前記固体基材が、１つ以上の標準領域をさらに含む、項目８８〜９３のいずれか１項に記載の検出デバイス。
（項目９５）
前記１つ以上の標準領域が、所定の色および強度の比色標準を含む、項目９４に記載の検出デバイス。
（項目９６）
チオール化合物検出デバイスを製造する方法であって：固体基材を項目６５〜８７のいずれかに記載の試薬液と接触させる工程、および該デバイスを乾燥させることにより該検出デバイスを形成する工程を包含する、方法。
（項目９７）
項目９６に記載の方法によって製造される、検出デバイス。
（項目９８）
被験体における口臭を検出する方法であって、該方法は、該被験体の口腔から採取された生理学的流体を、項目８８から９５または項目９７のいずれか１項に記載の検出デバイスと接触させることにより、生理学的流体と接触したデバイスを形成する工程、および該生理学的流体と接触したデバイスにおいてチオール化合物の濃度レベルを検出する工程を包含し、ここで、少なくとも約４０μｍｏｌ／Ｌのチオールのレベルが、口臭を示唆する、方法。
（項目９９）
被験体における歯肉炎を検出する方法であって、該方法は、該被験体の口腔から採取された生理学的流体を、項目８８から９５または項目９７のいずれか１項に記載の検出デバイスと接触させることにより、生理学的流体と接触したデバイスを形成する工程、および該生理学的流体と接触したデバイスにおいてチオール化合物の濃度レベルを検出する工程を包含し、ここで、少なくとも約８０μｍｏｌ／Ｌのチオールのレベルが、歯肉炎を示唆する、方法。
（項目１００）
被験体における歯周病を検出する方法であって、該方法は、該被験体の口腔から採取された生理学的流体を、項目８８から９５または項目９７のいずれか１項に記載の検出デバイスと接触させることにより、生理学的流体と接触したデバイスを形成する工程、および該生理学的流体と接触したデバイスにおいてチオール化合物の濃度レベルを検出する工程を包含し、ここで、少なくとも約１６０μｍｏｌ／Ｌのチオールのレベルが、歯根膜炎を示唆する、方法。
（項目１０１）
前記検出工程が、（ａ）前記生理学的流体と接触したデバイスの色の強度または吸光度を（ｂ）標準と比較することによって行われる、項目９８、９９または１００のいずれか１項に記載の方法。
（項目１０２）
前記検出工程が、眼によって行われる、項目１０１に記載の方法。
（項目１０３）
前記検出工程が、機械によって行われる、項目１０１に記載の方法。
（項目１０４）
前記検出工程が、分光光度計によって行われる、項目１０１に記載の方法。
（項目１０５）
前記検出工程が、定量化されたシグナルまたは半定量化されたシグナルを提供する、項目１０１から１０４のいずれか１項に記載の方法。
（項目１０６）
前記生理学的流体が、ＧＣＦ、舌擦過物、舌バイオフィルム、歯肉線バイオフィルム、唾液または息である、項目９８から１０５のいずれか１項に記載の方法。
（項目１０７）
項目６５に記載の試薬液および項目８８に記載の検出デバイスまたは項目９７に記載の検出デバイスを備える、口内チオール化合物の検出に有用な試験キット。
本発明は、流体サンプル中のチオール化合物の濃度を測定するための１回用使い捨て物品を提供する。